(57)【要約】【課題】支持金物が下から丸見えのため体裁が悪いという露出ダクトにおける問題点を解決すると共に、ダクト本体として断面四角形のグラスウールダクトを用いているにもかかわらずグラスウールダクトの変形を抑制できるようにした露出ダクトの支持構造を提供する。【解決手段】断面四角形のグラスウールダクト１の内部に、帯板状の水平板部７ａと、その長手方向両端から下方へ直角に折れ曲った左右一対の縦板部７ｂ、７ｂとを備えた支持金物７を、前記水平板部がグラスウールダクトの上板部１ｂ下面に、前記縦板部がグラスウールダクトの左右の側板部１ｃ、１ｃの内面に、夫々、当接した状態に配置し、支持金物の水平板部とグラスウールダクトの上板部とを貫通する吊りボルト８によって支持金物を天井スラブ９に吊下げ支持させる。【選択図】図１
2011052926.tif 000002
【特許請求の範囲】
【請求項１】
断面四角形のグラスウールダクトの内部に、帯板状の水平板部と、その長手方向両端から下方へ直角に折れ曲った左右一対の縦板部とを備えた支持金物を、前記水平板部がグラスウールダクトの上板部下面に、前記縦板部がグラスウールダクトの左右の側板部の内面に、夫々、当接した状態に配置し、支持金物の水平板部とグラスウールダクトの上板部とを貫通する吊りボルトによって支持金物を天井スラブに吊下げ支持させてあることを特徴とする露出ダクトの支持構造。
【請求項２】
支持金物が、帯板状の水平板部と、その長手方向両端から下方へ直角に折れ曲った左右一対の縦板部と、当該縦板部の下端部間に直角に折曲連設された下部水平板部とによって断面四角形に形成され、前記水平板部がグラスウールダクトの上板部下面に、前記縦板部がグラスウールダクトの左右の側板部の内面に、前記下部水平板部がグラスウールダクトの底板部上面に、夫々、当接した状態に配置されていることを特徴とする請求項１に記載の露出ダクトの支持構造。
【請求項３】
角筒状立上り部の内側に風量調節弁を設け、角筒状立上り部の下端外周にフランジを設けた空気吹出口ユニットが、グラスウールダクトの底板部に形成された孔に、底板部下面と面一状に嵌め込まれて、角筒状立上り部の外側面に取り付けたアングル材と前記フランジとで底板部の孔縁部を挟持した状態に固定され、角筒状立上り部の風上側には、角筒状立上り部の上端から底板部上面にかけて傾斜したガイドベーンが取り付けられていることを特徴とする請求項１又は２に記載の露出ダクトの支持構造。
【発明の詳細な説明】
【技術分野】
【０００１】
本発明は、直天井（天井板の設けられていない天井）の室内に設置される空調用ダクト（露出ダクト）の支持構造に関する。
【背景技術】
【０００２】
天井裏空間に空調用ダクトを設置する場合、従来では、特許文献１、２に見られるように、断面四角形のダクト本体の下面をアングル材、チャンネル材、フラットバー等の支持金物で支持し、支持金物の両端部を天井スラブに吊りボルトで吊下げ支持したり、丸型ダクトにあっては、特許文献３に見られるように、ダクト本体の外周にバンド状の支持金物を巻き付け、この支持金物を天井スラブに吊りボルトで吊下げ支持するのが普通である。
【０００３】
そして、ダクト本体から下方に分岐させた短管の内部に風量調節弁を設け、短管の下端に形成した空気吹出口を天井板の下面と面一状に配置している。
【０００４】
しかし、仕上げ用の天井板を設けない直天井の室内に設置される空調用ダクトは、露出ダクトとなるので、上記の支持構造では、支持金物や空気吹出口上部の短管が下から丸見えであり、体裁が非常に悪い。
【先行技術文献】
【特許文献】
【０００５】
【特許文献１】特開２０００−２５７９４５号公報
【特許文献２】特開２００２−２６７２４５号公報
【特許文献３】特開２００３−１１４０４５号公報
【発明の概要】
【発明が解決しようとする課題】
【０００６】
本発明は、露出ダクトにおける上記の問題点を解決すると共に、ダクト本体として断面四角形のグラスウールダクトを用いているにもかかわらずグラスウールダクトの変形を抑制できるようにした露出ダクトの支持構造を提供することを目的としている。
【課題を解決するための手段】
【０００７】
上記の目的を達成するために、本発明が講じた技術的手段は、次の通りである。即ち、請求項１に記載の発明による露出ダクトの支持構造は、断面四角形のグラスウールダクトの内部に、帯板状の水平板部と、その長手方向両端から下方へ直角に折れ曲った左右一対の縦板部とを備えた支持金物を、前記水平板部がグラスウールダクトの上板部下面に、前記縦板部がグラスウールダクトの左右の側板部の内面に、夫々、当接した状態に配置し、支持金物の水平板部とグラスウールダクトの上板部とを貫通する吊りボルトによって支持金物を天井スラブに吊下げ支持させてあることを特徴としている。
【０００８】
請求項２に記載の発明は、請求項１に記載の露出ダクトの支持構造であって、支持金物が、帯板状の水平板部と、その長手方向両端から下方へ直角に折れ曲った左右一対の縦板部と、当該縦板部の下端部間に直角に折曲連設された下部水平板部とによって断面四角形に形成され、前記水平板部がグラスウールダクトの上板部下面に、前記縦板部がグラスウールダクトの左右の側板部の内面に、前記下部水平板部がグラスウールダクトの底板部上面に、夫々、当接した状態に配置されていることを特徴としている。
【０００９】
請求項３に記載の発明は、請求項１又は２に記載の露出ダクトの支持構造であって、角
筒状立上り部の内側に風量調節弁を設け、角筒状立上り部の下端外周にフランジを設けた空気吹出口ユニットが、グラスウールダクトの底板部に形成された孔に、底板部下面と面一状に嵌め込まれて、角筒状立上り部の外側面に取り付けたアングル材と前記フランジとで底板部の孔縁部を挟持した状態に固定され、角筒状立上り部の風上側には、角筒状立上り部の上端から底板部上面にかけて傾斜したガイドベーンが取り付けられていることを特徴としている。
【発明の効果】
【００１０】
請求項１に記載の発明によれば、断面四角形のグラスウールダクトの内部に支持金物を配置し、支持金物とグラスウールダクトの上板部とを貫通する吊りボルトによって支持金物を天井スラブに吊下げ支持させるので、露出ダクトであるにもかかわらず支持金物が視覚的に隠蔽され、非常に体裁が良い。
【００１１】
殊に、支持金物が、帯板状の水平板部と、その長手方向両端から下方へ直角に折れ曲った左右一対の縦板部とを備えており、断面四角形のグラスウールダクトの内部に、前記水平板部がグラスウールダクトの上板部下面に、前記縦板部がグラスウールダクトの左右の側板部の内面に、夫々、当接した状態に配置されているので、支持金物と左右一対の縦板部との直角な角部がグラスウールダクトの直角な角部に当接して、グラスウールダクトを保形することになり、ダクト本体として断面四角形のグラスウールダクトを用いているにもかかわらずグラスウールダクトの変形を抑制できる。
【００１２】
請求項２に記載の発明によれば、支持金物が、帯板状の水平板部と、その長手方向両端から下方へ直角に折れ曲った左右一対の縦板部と、当該縦板部の下端部間に直角に折曲連設された下部水平板部とによって断面四角形に形成されており、断面四角形のグラスウールダクトの内部に、前記水平板部がグラスウールダクトの上板部下面に、前記縦板部がグラスウールダクトの左右の側板部の内面に、前記下部水平板部がグラスウールダクトの底板部上面に、夫々、当接した状態に配置されているので、支持金物の四隅の直角な角部がグラスウールダクトの四隅の直角な角部に当接して、グラスウールダクトを保形することになる。従って、支持金物による保形がより一層効果的に行われ、グラスウールダクトの変形を抑制できるのである。
【００１３】
請求項３に記載の発明によれば、角筒状立上り部の内側に風量調節弁を設け、角筒状立上り部の下端外周にフランジを設けた空気吹出口ユニットが、グラスウールダクトの底板部に形成された孔に、底板部下面と面一状に嵌め込まれているので、支持金物だけでなく、風量調節弁を内蔵する角筒状立上り部も視覚的に隠蔽されることになる。従って、外観をより一層スッキリしたものとし、意匠性に優れた露出ダクトとすることができる。
【００１４】
空気吹出口ユニットの重量は、グラスウールダクトの底板部に形成された孔の縁部に掛かることになるが、空気吹出口ユニットは、角筒状立上り部の外側面に取り付けたアングル材と前記フランジとで底板部の孔縁部を挟持した状態に固定されているので、アングル材の長さを長めに設定することで、空気吹出口ユニットの重量をグラスウールダクト底板部の広い範囲に分散し、空気吹出口ユニットの重量による孔縁部の変形を防止できる。
【００１５】
また、空気吹出口ユニットをグラスウールダクトの底板部に形成された孔に、底板部下面と面一状に嵌め込むことにより、風量調節弁を内蔵する角筒状立上り部がダクト内部に突き出た形状となるが、角筒状立上り部の風上側には、角筒状立上り部の上端から底板部上面にかけて傾斜したガイドベーンが取り付けられているので、角筒状立上り部による気流の乱れを抑制し、気流の乱れにより振動や異音の発生を防止できる。
【図面の簡単な説明】
【００１６】
【図１】本発明による露出ダクトの支持構造を例示する縦断側面図である。
【図２】図１のＡ−Ａ線断面図である。
【図３】図１のＢ−Ｂ線断面図である。
【図４】本発明の他の実施形態を示す要部の縦断正面図である。
【図５】本発明の他の実施形態を示す要部の縦断正面図である。
【図６】施工手順の一例を説明する概略縦断側面図である。
【発明を実施するための形態】
【００１７】
図１〜図３は、本発明による露出ダクト（直天井の室内に設置される空調用ダクト）の支持構造の一例を示す。１は断面四角形のグラスウールダクト、２は、角筒状立上り部２ａの内側に風量調節弁２ｂを設け、角筒状立上り部２ａの下端外周にフランジ２ｃを設けた空気吹出口ユニットである。
【００１８】
空気吹出口ユニット２は、グラスウールダクト１の底板部１ａに形成された四角い孔に、底板部１ａ下面と面一状に嵌め込まれ、角筒状立上り部２ａの外側面にビス３で取り付けたアングル材４と前記フランジ２ｃとで底板部１ａの孔縁部を挟持した状態に固定されている。
【００１９】
アングル材４は空気吹出口ユニット２の外形より長く設定され、空気吹出口ユニット２の重量をグラスウールダクト底板部１ａの広い範囲に分散して、空気吹出口ユニット２の重量による孔縁部の変形を防止するように配慮されている。また、グラスウールダクト１の内部にまで差し込まれた角筒状立上り部２ａの風上側には、角筒状立上り部２ａの上端から底板部１ａ上面にかけて傾斜したガイドベーン５がビス６によって取り付けられている。
【００２０】
７は、グラスウールダクト１の支持金物であり、帯板状の水平板部７ａと、その長手方向両端から下方へ直角に折れ曲った左右一対の縦板部７ｂ、７ｂと、当該縦板部７ｂ、７ｂの下端部間に直角に折曲連設された下部水平板部７ｃとによって断面四角形に形成されている。
【００２１】
支持金物７は、グラスウールダクト１の内部に、前記水平板部７ａがグラスウールダクト１の上板部１ｂ下面に、前記縦板部７ｂ、７ｂがグラスウールダクト１の左右の側板部１ｃ、１ｃの内面に、前記下部水平板部７ｃがグラスウールダクト１の底板部１ａ上面に、夫々、当接した状態に配置されている。
【００２２】
そして、支持金物７における水平板部７ａの両端近傍部とグラスウールダクト１の上板部１ｂとを貫通する２本の吊りボルト８によって天井スラブ９に吊下げ支持されている。１０ａ、１０ｂはナット、１１はグラスウールダクト１の上板部１ｂとナット１０ｂの間に介在させた座金である。１２は天井スラブ９に埋設された雌ねじ状のインサート金物である。グラスウールダクト１は人力で持ち上げるのに適当な長さ（例えば、１メートル程度）に設定され、グラスウールダクト１、１同士を接着剤とアルミテープ１３とで接続してある。
【００２３】
上記の構成によれば、断面四角形のグラスウールダクト１の内部に支持金物7を配置し
、支持金物7とグラスウールダクト１の上板部１ｂとを貫通する吊りボルト８によって支
持金物7を天井スラブ９に吊下げ支持させるので、露出ダクトであるにもかかわらず支持
金物７が視覚的に隠蔽され、非常に体裁が良い。
【００２４】
殊に、支持金物7が、帯板状の水平板部７ａと、その長手方向両端から下方へ直角に折
れ曲った左右一対の縦板部７ｂ、７ｂと、当該縦板部７ｂ、７ｂの下端部間に直角に折曲
連設された下部水平板部７ｃとによって断面四角形に形成されており、断面四角形のグラスウールダクト１の内部に、前記水平板部７ａがグラスウールダクト１の上板部１ｂ下面に、前記縦板部７ｂ、７ｂがグラスウールダクト１の左右の側板部１ｃ、１ｃの内面に、前記下部水平板部７ｃがグラスウールダクト１の底板部１ａ上面に、夫々、当接した状態に配置されているので、支持金物７の四隅の直角な角部がグラスウールダクトの四隅の直角な角部に当接して、グラスウールダクト１を保形することになる。従って、ダクト本体として断面四角形のグラスウールダクト１を用いているにもかかわらず支持金物７による保形が効果的に行われ、グラスウールダクト１の変形を抑制できるのである。
【００２５】
また、角筒状立上り部２ａの内側に風量調節弁２ｂを設け、角筒状立上り部２ａの下端外周にフランジ２ｃを設けた空気吹出口ユニット２が、グラスウールダクト１の底板部１ａに形成された孔に、底板部１ａ下面と面一状に嵌め込まれているので、支持金物7だけ
でなく、風量調節弁２ｂを内蔵する角筒状立上り部２ａも視覚的に隠蔽されることになる。従って、外観をより一層スッキリしたものとし、意匠性に優れた露出ダクトとすることができる。
【００２６】
それでいて、角筒状立上り部２ａによる気流の乱れを抑制し、気流の乱れにより振動や異音の発生を防止できる。即ち、空気吹出口ユニット２をグラスウールダクト１の底板部１ａに形成された孔に、底板部１ａ下面と面一状に嵌め込むことにより、風量調節弁２ｂを内蔵する角筒状立上り部２ａがダクト内部に突き出た形状となるが、角筒状立上り部２ａの風上側には、角筒状立上り部２ａの上端から底板部１ａ上面にかけて傾斜したガイドベーン６が取り付けられているので、角筒状立上り部２ａによる気流の乱れを抑制し、気流の乱れにより振動や異音の発生を防止できることになる。
【００２７】
尚、図１に示したように、グラスウールダクト１の一端を先行して設置されたグラスウールダクト１に接続し、グラスウールダクト１の他端近傍を支持金物7と吊りボルト８で
天井スラブ９に吊下げ支持させるようにすれば、雌ねじ状のインサート金物１２を使用せず、予め吊りボルト８が天井スラブ９に回転不能な状態に垂下されていても、グラスウールダクト１の開口端から、支持金物7を挿入し、ナット１０ａ、１０ｂを操作して、上記
の支持構造を実現することができる。但し、雌ねじ状のインサート金物１２を用いて、吊りボルト８を回転可能な状態に垂下させることが望ましい。このようにすれば、吊りボルト８をグラスウールダクト１の内部に配置した支持金物7にナット１０ａ、１０ｂで取り
付けた後、吊りボルト８ごとグラスウールダクト１を持ち上げて、吊りボルト８をインサート金物１２にねじ込むことができ、各々のグラスウールダクト１の両端部を支持金物7
と吊りボルト８で吊下げ支持することが可能となるからである。
【００２８】
また、支持金物7は、断面四角形に形成することが望ましいが、帯板状の水平板部７ａ
と、その長手方向両端から下方へ直角に折れ曲った左右一対の縦板部７ｂ、７ｂとを備えているものであれば足り、必ずしも断面四角形に形成する必要はない。何故なら、図４に示すように、帯板状の水平板部７ａと、その長手方向両端から下方へ直角に折れ曲った左右一対の縦板部７ｂ、７ｂとを備えている支持金物７を、断面四角形のグラスウールダクト１の内部に、前記水平板部７ａがグラスウールダクト１の上板部１ａ下面に、前記縦板部７ｂ、７ｂがグラスウールダクト１の左右の側板部１ｃ、１ｃの内面に、夫々、当接した状態に配置することにより、支持金物７と左右一対の縦板部７ｂ、７ｂとの直角な角部がグラスウールダクト１の直角な角部に当接して、グラスウールダクト１を保形することになり、グラスウールダクト１の変形を相当程度抑制できるからである。
【００２９】
図５は、本発明の他の実施形態を示す。この実施形態は、吊りボルト８を、支持金物7
にナット１０ａ、１０ｂで取り付けられた下部ボルト８ａと、天井スラブ９から垂下された逆ねじを切った上部ボルト８ｂと、両者８ａ、８ｂを接続するターンバックル８ｃとに
よって構成した点に特徴がある。
【００３０】
この構成によれば、ターンバックル８ｃによってグラスウールダクト１のレベル調整が容易である。また、上部ボルト８ｂが天井スラブ９に回転不能な状態に設けられていても、図６に示すように、床上での作業により、予め、複数のグラスウールダクト１を接続しておき、これらを持ち上げて、天井スラブ９から垂下させた上部ボルト８ｂにターンバックル８ｃで連結するといった作業手順が可能である。その他の構成、作用は、図１〜図４の実施形態と同じであるため、同一構成部材に同一符号を付し、説明を省略する。
【産業上の利用可能性】
【００３１】
本発明の露出ダクトの支持構造は、支持金物を断面円形とすることにより、丸型ダクトの吊下げ支持にも応用可能である。
【符号の説明】
【００３２】
１  グラスウールダクト
１ａ  底板部
１ｂ  上板部
１ｃ  側板部
２  空気吹出口ユニット
２ａ  角筒状立上り部
２ｂ  風量調節弁
２ｃ  フランジ
３  ビス
４  アングル材
５  ガイドベーン
６  ビス
７  支持金物
７ａ  水平板部
７ｂ  縦板部
７ｃ  下部水平板部
８  吊りボルト
８ａ  下部ボルト
８ｂ  上部ボルト
８ｃ  ターンバックル
９  天井スラブ
１０ａ、１０ｂ  ナット
１１は座金
１２  インサート金物
１３  アルミテープ
【図１】
2011052926.tif 000003
【図２】
2011052926.tif 000004
【図３】
2011052926.tif 000005
【図４】
2011052926.tif 000006
【図５】
2011052926.tif 000007
【図６】
2011052926.tif 000008